(57)【特許請求の範囲】
【請求項１】
空調空気を給気する送風機と圧縮機を有するヒートポンプ式の空調機と、
前記空調機に接続された主流路および該主流路から分岐して複数の部屋のそれぞれまで配管された分岐流路と、
前記分岐流路の途中に配設され、各部屋への通過風量を調節する可変風量装置と、
各部屋から空調空気を前記空調機に回収する還気流路と、
前記主流路から分岐して前記複数の部屋の下流側まで配管されたバイパス流路と、
前記還気流路から前記空調機を介して前記主流路におけるバイパス流路の分岐部または前記分岐流路の分岐部のいずれかまで至る経路の途中に配設され、総給気風量を計測するための給気風量計測手段と、
前記バイパス流路の途中に配設され、バイパス風量を計測するバイパス風量計測手段と、
前記バイパス流路の途中に配設されたバイパス風量制御装置と、
前記空調機の制御を行う空調機制御部と、
を備え、
前記バイパス風量制御装置は、前記総給気風量が前記空調機の目標風量となるようにバイパス流路を通過する風量を制御し、
前記空調機制御部は、前記バイパス風量計測手段で計測した風量と前記給気風量計測手段で計測した風量との比であるバイパス比率が所定範囲内になるよう前記送風機の回転数を制御することを特徴とする空気調和装置。
【請求項２】
空調空気を給気する送風機と圧縮機を有するヒートポンプ式の空調機と、
前記空調機に接続された主流路および該主流路から分岐して複数の部屋のそれぞれまで配管された分岐流路と、
前記分岐流路の途中に配設され、各部屋への通過風量を調節する可変風量装置と、
各部屋から空調空気を前記空調機に回収する還気流路と、
前記主流路から分岐して前記複数の部屋の下流側まで配管されたバイパス流路と、
前記還気流路から前記空調機を介して前記主流路におけるバイパス流路の分岐部または前記分岐流路の分岐部のいずれかまで至る経路の途中に配設され、総給気風量を計測するための給気風量計測手段と、
前記バイパス流路の途中に配設され、バイパス風量を計測するバイパス風量計測手段と、
前記バイパス流路の途中に配設されたバイパス風量制御装置と、
前記空調機の制御を行う空調機制御部と、
を備え、
前記バイパス風量制御装置は、前記総給気風量が前記空調機の目標風量となるようにバイパス流路を通過する風量を制御し、
前記空調機制御部は、前記バイパス風量計測手段で計測した風量と前記給気風量計測手段で計測した風量との比であるバイパス比率が所定範囲内になるよう前記圧縮機の回転数を制御することを特徴とする空気調和装置。
【請求項３】
前記複数の部屋の下流に共用空間部を設け、前記バイパス流路は、前記共用空間部に配管されたことを特徴とする請求項１又は２に記載の空気調和装置。
【請求項４】
前記バイパス流路は、前記主流路から前記各部屋へ分岐するいずれかの分岐部よりも上流側で分岐することを特徴とする請求項１〜３のいずれか１項に記載の空気調和装置。
【請求項５】
前記給気風量計測手段は、前記還気流路の途中、または前記空調機の給気口から前記主流路におけるバイパス流路の分岐部に至る経路の途中に配設されたことを特徴とする請求項１〜４のいずれか１項に記載の空気調和装置。
【発明の詳細な説明】
【技術分野】
【０００１】
本発明は、複数の部屋を空調する全館空調方式の空気調和装置に関する。
【背景技術】
【０００２】
近年の住宅は高気密高断熱化が進み、全館空調システムが採用されるようになっている。例えば、特許文献１では複数の部屋を有する住宅の全館空調システムが提案されている。この全館空調システムの空気調和装置では、空調ダクトの途中に給気風量の大小で室温を制御するＶＡＶユニット（Variable Air Volume unit）が設けられている。
【０００３】
そして、各部屋の温度調節をＶＡＶユニットで行うととともに、室内機（室内ユニット）内に静圧センサと吹出し温度センサを設け、機内静圧と吹出し温度が一定となるように送風機と圧縮機を制御している。
【先行技術文献】
【特許文献】
【０００４】
【特許文献１】特開２００２−２５７３９９号公報
【発明の概要】
【発明が解決しようとする課題】
【０００５】
しかしながら、かかる従来のセントラル空調方式の空気調和装置では、特許文献１における実施の形態にも開示されているように、部屋の温度をある程度しか調節できないのみならず、次の様ないくつかの問題があった。
【０００６】
（１）特許文献１が採用している一定静圧制御は、室内機の給気風量が少ないとＶＡＶユニットのダンパは全てが概ね閉まった状態となるため、圧力損失が大きくなって省エネ性が低下する。
【０００７】
（２）また、各部屋の室温が設定温度に達して各部屋への給気風量を減少させると、吹出し温度（給気温度）が変化する（冷房時は下降、暖房時は上昇）ので、これを一定にするために圧縮機の回転数を制御している。しかしながら、このように吹出し温度を制御している間も各部屋の負荷や給気風量は変動するため、応答性が低くなり制御を複雑にする必要があった。
【０００８】
（３）更に、停止操作により各部屋のＶＡＶユニットが急にダンパを閉めた場合、フィルタ詰まり異常として検知してしまうおそれがあった。
【０００９】
（４）更にまた、特許文献１に開示された住宅には共用スペースが設けられているが、この共用スペースには直接空調機から給気されていないので、共用スペースでは室温制御ができない。
【００１０】
そこで、本発明は、全館空調システムにした場合にも、複数の部屋を個別に応答性良く温度制御でき、かつヒートポンプ式の空調機の送風機や圧縮機の制御可能範囲の問題を解決しつつ、省エネ性に優れた空気調和装置を提供するものである。
【課題を解決するための手段】
【００１１】
本発明にかかる空気調和装置は、空調空気を給気する送風機と圧縮機を有するヒートポンプ式の空調機と、前記空調機に接続された主流路および該主流路から分岐して複数の部屋のそれぞれまで配管された分岐された分岐流路と、前記分岐流路の途中に配設され、各部屋への通過風量を調節する可変風量装置と、各部屋から空調空気を前記空調機に回収する還気流路と、前記主流路から分岐して前記複数の部屋の下流側まで配管されたバイパス流路と、前記還気流路から前記空調機を介して前記主流路におけるバイパス流路の分岐部または前記分岐流路の分岐部のいずれかまで至る経路の途中に配設され、総給気風量を計測するための給気風量計測手段と、前記バイパス流路の途中に配設され、バイパス風量を計測するバイパス風量計測手段と、前記バイパス流路の途中に配設されたバイパス風量制御装置と、前記空調機の制御を行う空調機制御部と、を備え、前記バイパス風量制御装置は、前記総給気風量が前記空調機の目標風量となるようにバイパス流路を通過する風量を制御し、前記空調機制御部は、前記バイパス風量計測手段で計測した風量と前記給気風量計測手段で計測した風量との比であるバイパス比率が所定範囲内になるよう前記送風機の回転数、又は、前記圧縮機の回転数を制御することを特徴とする。
【発明の効果】
【００１２】
本発明にかかる空気調和装置によれば、バイパス風量計測手段と給気風量計測手段とで計測した風量からバイパス比率を求め、このバイパス比率が所定範囲内になるようヒートポンプ式の空調機の出力制御を行う。従って、バイパス風量が常に最小となるように空調機の送風機または圧縮機の回転数を制御できる。これにより、省エネ性が向上するとともに、可変風量装置の全てが概ね閉まった状態とならないため圧力損失を抑制できる。
【００１３】
また、バイパス比率に基づいて空調機が出力制御されるため、各部屋の負荷を計測および集計する複雑な制御回路を無くすことができる。また、バイパス比率を用いてヒートポンプ式の空調機に送風機の回転数または圧縮機の回転数を直接指示できるので、応答性が向上する。
【００１４】
従って、全館空調システムにした場合にも、複数の部屋を個別に応答性良く温度制御でき、かつヒートポンプ式の空調機の送風機や圧縮機の制御可能範囲の問題を解決しつつ、省エネ性に優れた空気調和装置を提供することができる。
【図面の簡単な説明】
【００１５】
【図１】図１は、本発明にかかる空気調和装置の第１の実施形態を概略的に示す全体構成図である。
【図２】図２は、第１の実施形態の空気調和装置の制御をフローチャートで示す説明図である。
【図３】図３は、第１の実施形態の空気調和装置の別の制御をフローチャートで示す説明図である。
【図４】図４は、本発明にかかる空気調和装置の第２の実施形態を概略的に示す全体構成図である。
【図５】図５は、本発明にかかる空気調和装置の第３の実施形態を概略的に示す全体構成図である。
【発明を実施するための形態】
【００１６】
以下、本発明の実施形態について図面を参照しつつ詳細に説明する。
【００１７】
[第１の実施形態]
図１は、本発明にかかる空気調和装置１の第１の実施形態を示す。この空気調和装置１は、ヒートポンプ式の空調機２によって住宅Ｈに設けた複数の部屋Ｒ１〜Ｒ４を個別に空調できるようになっている。なお、本実施形態では４つの部屋Ｒ１〜Ｒ４を示すが、これに限ることなく部屋は２つ以上であればよく、このことは以下に述べる第２および第３の実施形態にあっても同様とする。
【００１８】
ヒートポンプ（冷凍サイクル）式の空調機２は、図示するように室外機２Ａと室内機２Ｂとを備えている。
【００１９】
室外機２Ａには、圧縮機２１および熱交換器２２が配設され、室内機２Ｂには、送風機２４および熱交換器２３が配設されている。また、フロン等の冷媒が循環路２Ｃ内を送給する。即ち、循環路２Ｃを介して圧縮機２１、熱交換器２２、膨張弁（図示せず）および熱交換器２３同士を冷媒が循環する。そして、冷房運転時は、冷媒を循環路２Ｃで図中Ｘ方向に循環させることにより、室内機２Ｂからの冷媒を室外機２Ａの熱交換器２２に送り、該熱交換器２２で熱交換したのち、室内機２Ｂに戻して循環するように構成されている。さらに、暖房運転時は、四方弁（図示せず）により冷房運転時とは逆に、すなわちＸ方向とは反対方向に冷媒が循環するように構成されている。
【００２０】
室内機２Ｂには送風機２４が設けられ、該送風機２４からの空気を熱交換器２３にて熱交換を行って、吹出口２５から空調空気として吐出するようになっている。なお、空調機２としては、室外機２Ａと室内機２Ｂが一体型となったものでもよい。
【００２１】
室内機２Ｂの吹出口２５から吐出した空調空気は主流路としての分岐チャンバ３Ｃに一旦流入し、この分岐チャンバ３Ｃから分岐流路としての複数の分岐ダクト３１を介して各部屋Ｒ１〜Ｒ４に給気される。そして、これら分岐ダクト３１を介して各部屋Ｒ１〜Ｒ４に給気されることにより各部屋Ｒ１〜Ｒ４を空調する。分岐チャンバ３Ｃは、その断面積が分岐ダクト３１や後述するバイパスダクト８に比べて十分に大きくなっている。なお、分岐チャンバ３Ｃは、上流端が流入口３Ｃinであり、下流端が終端面３Ｃｂである。
【００２２】
各分岐ダクト３１には、それぞれが分岐チャンバ３Ｃに分岐される基部に、各部屋Ｒ１〜Ｒ４への通過風量を調節する可変風量装置としてのＶＡＶユニット（Variable Air Volume unit）５が配設されている。これらＶＡＶユニット５は、分岐チャンバ３Ｃの側面３Ｃａに直接取り付けられ、分岐チャンバ３Ｃ内の空調空気を各ＶＡＶユニット５内に分配するようになっている。
【００２３】
ＶＡＶユニット５は、それぞれに対応した分岐ダクト３１の開度を調節するダンパ５１と、分岐ダクト３１の通過風量を検出するプロペラ式の風速センサ５２とを備えている。
【００２４】
風速センサ５２は、分岐ダクト３１を通過する空調空気によってプロペラが回転し、このときの回転速度から風速が検知される。このように風速センサ５２で検知した風速と分岐ダクト３１の断面積とから分岐ダクト３１を通過する風量を検出できる。なお、この風速センサ５２は、必ずしも設けなくても各部屋Ｒ１〜Ｒ４の室温を制御可能である。
【００２５】
ＶＡＶユニット５には、ダンパ５１の開度を制御するＶＡＶ制御部５３が備わっている。また、このＶＡＶ制御部５３には各部屋Ｒ１〜Ｒ４に個々に設けられたリモコン６からの信号が入力される。このリモコン６は、室内温度を設定する機能と温度を検出する機能とが備わり、設定した温度情報と検出した室内温度情報とがＶＡＶ制御部５３に送られる。
【００２６】
そして、ＶＡＶ制御部５３は、風速センサ５２で検知した風速から算出した風量と、リモコン６で設定した室内温度と、検出した室内温度とによってダンパ５１の開度を決定するようになっている。つまり、ダンパ５１の開度が制御されることにより、分岐ダクト３１を通過する給気量が制御され、ひいては、各部屋Ｒ１〜Ｒ４に給気する給気量が制御される。
【００２７】
また、室内機２Ｂの吹出口２５と分岐チャンバ３Ｃとの間には接続ダクト３２が介在され、この接続ダクト３２を介して室内機２Ｂの空調空気が分岐チャンバ３Ｃに給気される。接続ダクト３２内には、総給気風量を計測する給気風量計測手段としての給気風速センサ７が配設されている。
【００２８】
給気風速センサ７は、ＶＡＶユニット５の風速センサ５２と同様にプロペラ式であり、この給気風速センサ７の回転速度と接続ダクト３２の断面積とから総給気風量を計測できる。ここで、総給気風量とは、室内機２Ｂから分岐チャンバ３Ｃに給気される風量の総量である。
【００２９】
なお、分岐ダクト３１の通過風量および接続ダクト３２の総給気風量をプロペラ式の風速センサ５２と給気風速センサ７とで計測する場合を示したが、これに限ることなく圧力式（ピトー管式やオリフィス式）、熱線式および超音波式等のいずれかを用いて計測してもよい。
【００３０】
分岐チャンバ３Ｃから分岐ダクト３１に分配された空調空気は、各部屋Ｒ１〜Ｒ４に設けた給気口Ｒinからそれぞれの部屋Ｒ１〜Ｒ４に給気される。また、各部屋Ｒ１〜Ｒ４に給気した後の空調空気は、各部屋Ｒ１〜Ｒ４の通気口Ｒoutから共用空間部ＳＳへと排出される。共用空間部ＳＳは、例えば、廊下や玄関ホールまたは階段等である。
【００３１】
一方、分岐チャンバ３Ｃの終端面３Ｃｂからバイパス流路としてのバイパスダクト８が分岐され、このバイパスダクト８は、共用空間部ＳＳの給気口ＳＳinまで配管されている。そして、バイパスダクト８から給気された空調空気は、各部屋Ｒ１〜Ｒ４の通気口Ｒoutから排出された空調空気とともに共用空間部ＳＳをも空調する。
【００３２】
バイパスダクト８の下流側端８ａは、共用空間部ＳＳに設けた給気口ＳＳinに連通され、このバイパスダクト８には、バイパスダクト８を通過する風量を制御するバイパス風量制御装置としてのバイパスダンパユニット９が配設されている。
【００３３】
バイパスダンパユニット９は、分岐チャンバ３Ｃの終端面３Ｃｂに直接取り付けられ、分岐チャンバ３Ｃ内の空調空気をバイパスダンパユニット９内に取り込むようになっている。このバイパスダンパユニット９には、バイパスダクト８の開度を調節してバイパス風量を制御するバイパスダンパ９１が備えられ、このバイパスダンパ９１によってバイパス風量が制御される。このとき、バイパスダンパユニット９は、バイパスダクト８の途中であればいずれの位置に設けられていてもよいが、好ましくは、分岐チャンバ３Ｃの近傍に配設することにより制御性が良好となる。
【００３４】
また、バイパスダンパユニット９には、バイパスダクト８を流れるバイパス風量を計測するバイパス風量計測手段としてのバイパス風速センサ１０が配設される。このバイパス風速センサ１０は、前述した風速センサ５２、７と同様にプロペラ式となっているが、圧力式や熱線式または超音波式等であってもよく、回転数と断面積からバイパス風量を計測する。もちろん、バイパス風速センサ１０は、バイパスダンパユニット９内に限らずバイパスダクト８の途中であればいずれの位置にも設けることができる。
【００３５】
更に、共用空間部ＳＳに設けられた還気口ＳＳoutと室内機２Ｂの給気口２６とが還気流路としての還気ダクト１３を介して連通されている。そして、共用空間部ＳＳに排出された各部屋Ｒ１〜Ｒ４の空調空気、およびバイパスダクト８から給気された空調空気を室内機２Ｂに回収するようになっている。この回収された空調空気は送風機２４に取り込まれ、室内機２Ｂで再度温度調整された後に、前述した一連の空調経路へと循環される。
【００３６】
ところで、分岐チャンバ３Ｃの上流側の接続ダクト３２に配設した給気風速センサ７は、空調機２の総給気風量を計測できればよい。このため、給気風速センサ７は、還気ダクト１３の還気導入口１３ａ（還気口ＳＳout）から室内機２Ｂを介して分岐チャンバ３Ｃの流入口３Ｃinに至るまでの経路（好ましくは、室内機２Ｂを除いた経路）の途中に設けてあればよい。
【００３７】
バイパスダンパユニット９においては、給気風速センサ７とバイパス風速センサ１０からのデータをバイパス制御部１１に入力する。そして、バイパスダンパユニット９を制御し、かつ、空調機制御部１２にヒートポンプ式の空調機２の出力制御信号を出力するようになっている。この場合の出力制御信号とは、室内機２Ｂにおける送風機２４の回転数制御、または、室外機２Ａにおける圧縮機２１の回転数制御を意味する。
【００３８】
このときの制御方法は、特に本発明の特徴とするところであり、以下に送風機２４の回転数制御を例にとり、図２のフローチャートを用いてより詳細に述べる。
【００３９】
図２において、バイパス制御部１１は、給気風速センサ７で計測した総給気風量が目標風量となるように、バイパスダンパユニット９のバイパスダンパ９１を開閉制御してバイパス風量を制御する（ステップＳ１〜Ｓ５）。
【００４０】
つまり、ステップＳ１で計測された給気風量が目標風量よりも小さいと（ステップＳ２）、バイパスダンパ９１を少量開方向に動作させる（ステップＳ３）。一方、給気風量が目標風量よりも大きいと（ステップＳ４）、バイパスダンパ９１を少量閉方向に動作させる（ステップＳ５）。このとき、給気風量が目標風量と同じであった場合は現状維持となる。つまり、本実施形態では、給気風量は目標風量となるように時間と共に変化することになる。
【００４１】
次は、本実施形態の特徴となる制御部分で、バイパス風速センサ１０で計測したバイパス風量により室内機２Ｂ（空調機制御部１２）に対して送風機２４の回転数制御信号を出力し、総給気量の風量を設定変更する（ステップＳ６〜Ｓ１２）。
【００４２】
具体的には、まずバイパス風量を測定し（ステップＳ６）、先に測定した給気風量とのバイパス比率を求める。ここで、「バイパス比率」は、バイパス風量÷総給気風量×１００（％）で定義される。このバイパス比率がＢ％よりも小さい場合（ステップＳ７）は、送風機２４の回転数を既定量だけ上昇させる指示を空調機制御部１２に出し（ステップＳ８）、次に目標風量を既定量だけ増加させる（ステップＳ９）。また、このバイパス比率がＡ％以上の場合（ステップＳ１０）は、送風機２４の回転数を既定量だけ下降させる指示を空調機制御部１２に出し（ステップＳ１１）、次に目標風量を既定値だけ減少させる（ステップＳ１２）。このとき、バイパス比率がＢ％以上でＡ％よりも小さい場合は、送風機２４の回転数と目標風量を変化させない。
【００４３】
ここで、Ｂ％とＡ％は予め決定された値で、それらの関係は、０≦Ｂ％＜Ａ％の関係を満たすものとする。
【００４４】
ところで、前記図２のフローチャートは送風機２４の回転数制御の場合を述べたが、圧縮機２１の回転制御を行う場合を図３のフローチャートによって述べる。なお、同フローチャートでは、図２のフローチャートと同一処理部分に同一ステップ符号を付して重複する説明は省略するものとする。
【００４５】
図３において、ステップＳ７によってバイパス比率がＢ％よりも小さい場合は、圧縮機２１の回転数を既定量だけ上昇させる指示を空調機制御部１２に出す（ステップＳ１３）。一方、バイパス比率がＡ％以上の場合（ステップＳ１０）は、圧縮機２１の回転数を既定量だけ下降させる指示を空調機制御部１２に出す（ステップＳ１４）。このとき、バイパス比率がＢ％以上でＡ％よりも小さい場合は、圧縮機２１の回転数を変化させない。
【００４６】
なお、図２および図３中、破線で囲った部分が特に本発明の特徴となる制御であって、実際に実行される空気調和装置１の制御は、図２の制御と図３の制御とを適宜切換えながら行うことが好ましい。
【００４７】
次に、本実施形態にかかる空気調和装置１の作用効果を述べる。
【００４８】
空気調和装置１は、バイパス風量を計測するバイパス風速センサ１０と給気風量を計測する給気風速センサ７とで計測した風量からバイパス比率を求める。そして、このバイパス比率が所定範囲内になるようヒートポンプ式の空調機２の出力制御を行う。従って、バイパス風量が常に最小となるように空調機２の送風機２４または圧縮機２１を回転数制御できる。これにより、省エネ性が向上するとともに、可変風量装置の全てが概ね閉まった状態とならないため圧力損失を抑制できる。
【００４９】
また、バイパス比率に基づいて空調機２が出力制御されるため、各部屋Ｒ１〜Ｒ４の負荷を計測および集計する複雑な制御回路を無くすことができる。また、そのバイパス比率を用いてヒートポンプ式の空調機２に送風機２４の回転数または圧縮機２１の回転数を直接指示できるので、応答性を向上させることができる。
【００５０】
従って、全館空調システムにした場合にも複数の部屋Ｒ１〜Ｒ４を個別に応答性良く温度制御でき、かつヒートポンプ式の空調機２の送風機２４や圧縮機２１の制御可能範囲の問題を解決しつつ、省エネ性に優れた空気調和装置１を提供することができる。
【００５１】
更に、空調機２、給気風量計測手段（給気風速センサ７）、バイパス風量計測手段（バイパス風速センサ１０）およびバイパス風量制御装置（バイパスダンパユニット９）等の空調機系制御と、可変風量装置（ＶＡＶユニット５）や室内リモコン６等の制御系統とを分離できる。これにより、計装も簡単になり、施工時の計装間違いを少なくできる。
【００５２】
更にまた、共用空間部ＳＳを設けた場合に、その共用空間部ＳＳは各部屋Ｒ１〜Ｒ４から排出された空調空気を利用して空調できるとともに、還気ダクト１３を経由した空調空気を空調に利用できるので無駄の少ない空調機を提供できる。
【００５３】
また、住宅Ｈのリフォームや部屋Ｒ１〜Ｒ４のレイアウト変更等の改装にも容易に対応できる。
【００５４】
[第２の実施形態]
図４は、本発明の第２の実施形態を示し、第１の実施形態と同一構成部分に同一符号を付して重複する説明を省略して述べるものとする。
【００５５】
本実施形態の空気調和装置１Ａは、基本的に第１の実施形態の空気調和装置１と同様であるが、第１の実施形態と異なる点は、主流路を主ダクト３Ｄで構成したことと、バイパスダクト８を主ダクト３Ｄの途中から分岐したことにある。なお、主ダクト３Ｄは、上流端が上流側端３ａであり、下流端が下流側端３ｂである。
【００５６】
主ダクト３Ｄは、上流側端３ａが室内機２Ｂの吹出口２５に接続されており、この主ダクト３Ｄの途中には複数の分岐ダクト３１が分岐部３１ａから分岐されている。このとき、部屋Ｒ４に繋がる最下流側の分岐ダクト３１は主ダクト３Ｄの下流側端３ｂに接続されている。
【００５７】
各分岐ダクト３１の下流側端は、第１の実施形態と同様に各部屋Ｒ１〜Ｒ４の給気口Ｒinに接続されて、主ダクト３Ｄを流通する空調空気をそれぞれの部屋Ｒ１〜Ｒ４に給気する。また、各部屋Ｒ１〜Ｒ４に給気した後の空調空気は、各部屋Ｒ１〜Ｒ４の通気口Ｒoutから共用空間部ＳＳへと排出される。
【００５８】
本実施形態では、各部屋Ｒ１〜Ｒ４の設定温度に応じて通過風量を調節するＶＡＶユニット５は、各分岐ダクト３１の途中に配設されている。この場合にあっても、ＶＡＶユニット５は主ダクト３Ｄの近傍に配設されることが好ましい。
【００５９】
また、バイパスダクト８は、主ダクト３Ｄから分岐した最上流側（部屋Ｒ１用）の分岐ダクト３１の分岐部３１ａよりも上流側となる主ダクト３Ｄの分岐部８ｂで分岐している。
【００６０】
バイパスダクト８の下流側端８ａは、第１の実施形態と同様に共用空間部ＳＳの給気口ＳＳinに連通される。この場合、バイパスダンパユニット９はバイパスダクト８の途中に配設されている。また、還気ダクト１３は、共用空間部ＳＳの還気口ＳＳoutと室内機２Ｂの給気口２６とを連通していることは第１の実施形態と同様である。
【００６１】
また、本実施形態では、給気風速センサ７は主ダクト３Ｄの上流側端部近傍、詳細には室内機２Ｂの吹出口２５とバイパスダクト８の分岐部８ｂとの間に配設されている。
【００６２】
その他の構成は第１の実施形態の空気調和装置１と同様であるため、ここではその同様となった構成の作用を含めた説明は省略するものとする。
【００６３】
以上説明したように第２の実施形態によれば、主流路を主ダクト３Ｄで形成し、かつ、バイパスダクト８を主ダクト３Ｄの分岐ダクト３１よりも上流側に設けたが、その主要な構成は第１の実施形態と同様であり、同様の作用効果を奏する。
【００６４】
[第３の実施形態]
図５は、本発明の第３の実施形態を示し、第１および第２実施形態と同一構成部分に同一符号を付して重複する説明を省略して述べるものとする。
【００６５】
本実施形態の空気調和装置１Ｂは、基本的に第２の実施形態の空気調和装置１Ａと同様であるが、第２の実施形態と異なる点は、バイパスダクト８を通過した空調空気を、共用空間部ＳＳに供給することなく還気ダクト１３に戻したことにある。
【００６６】
即ち、バイパスダクト８は、第２の実施形態と同様に主ダクト３Ｄの分岐部８ｂから分岐されるが、その下流側端８ａが還気ダクト１３の途中に接続される。従って、共用空間部ＳＳの空調は、各部屋Ｒ１〜Ｒ４の通気口Ｒoutから排出された空調空気のみによって行われる。共用空間部ＳＳに排出された各部屋Ｒ１〜Ｒ４の空調空気は還気口ＳＳoutから還気ダクト１３によって室内機２Ｂに回収される。
【００６７】
その他の構成は、第２の実施形態の空気調和装置１Ａと同様であるため、ここではその同様となった構成の作用を含めた説明は省略するものとする。
【００６８】
以上説明したように第３の実施形態によれば、バイパスダクト８を通過した空調空気を還気ダクト１３に直接戻したが、その他の主要な構成は第２の実施形態と同様である。従って、共用空間部ＳＳの温度制御にバイパスダクト８からの空調空気が用いられない以外は第２の実施形態と同様の作用効果を奏する。
【００６９】
ところで、本発明は、前記各実施形態において、特に複数の部屋Ｒ１〜Ｒ４を備えた住宅Ｈの全館空調システムに例をとって説明した。しかし、これに限ることなく、例えばビル等の大型建築物のセントラル空調にあっても本発明の要旨を逸脱しない範囲で適用が可能である。
【符号の説明】
【００７０】
１、１Ａ、１Ｂ  空気調和装置
２  空調機
２Ａ  室外機
２Ｂ  室内機
２１  圧縮機
２４  送風機
３Ｃ  分岐チャンバ（主流路）
３Ｄ  主ダクト（主流路）
３１  分岐ダクト（分岐流路）
３１ａ  分岐ダクトの分岐部
５  ＶＡＶユニット（可変風量装置）
７  給気風速センサ（給気風量計測手段）
８  バイパスダクト（バイパス流路）
８ａ  バイパスダクトの分岐部
９  バイパスダンパユニット（バイパス風量制御手段）
１０  バイパス風速センサ（バイパス風量計測手段）
１３  還気ダクト（還気流路）
Ｒ１〜Ｒ４  部屋
ＳＳ  共用空間部
【図１】
0005919045.tif 000002
【図２】
0005919045.tif 000003
【図３】
0005919045.tif 000004
【図４】
0005919045.tif 000005
【図５】
0005919045.tif 000006